(57)【要約】【課題】メダル貸機から払い出されたメダルを遊技機へ自動的に投入するためのメダル連続投入機構を提供する。【解決手段】一端がメダル貸機のメダル払い出し口に取り付けられ、他端が遊技機のメダル投入口に取り付けられるメダルガイド１５と、メダルガイドの先端に設けられたノズルとを備え、ノズルは遊技者の操作に基づき前記メダルガイド内のメダルを前記遊技機のメダル投入口へ送り出すためのゲート機構１６を備える。しかも、可動ジョイント１４を備えるので、連続投入機構を使わないとき、手動投入の邪魔にならないようにその先端を跳ね上げておくことができる。【選択図】        図１
2004248765.tif 000002
【特許請求の範囲】
【請求項１】
遊技機に隣接して設けられたメダル貸機から遊技機へメダルを連続して投入するための機構であって、
一端が前記メダル貸機のメダル払い出し口に取り付けられ、他端が前記遊技機のメダル投入口に取り付けられるメダルガイドと、前記メダルガイドの先端に設けられたノズルとを備え、前記ノズルは遊技者の操作に基づき前記メダルガイド内のメダルを前記遊技機のメダル投入口へ送り出すためのゲート機構を備えることを特徴とするメダル連続投入機構。
【請求項２】
前記ゲート機構は、断面略コの字型の第１及び第２の部材と、前記第１及び第２の部材を付勢する第１及び第２の弾性部材とを備え、前記第１の部材と前記第２の部材は、各々の突起部の一方の先端が相手の内面に接するように対向して配置され、前記第１の弾性部材は第１の部材の一方の突起部の内側側面と第２の部材の一方の突起部の外側側面の間に設けられ、前記第２の弾性部材は第２の部材の他方の突起部の内側側面と第１の部材の他方の突起部の外側側面の間に設けられ、これにより前記第２の部材の一方の突起部の内側側面と前記第１の部材の他方の突起部の内側側面の間隔が狭まるように付勢され、外力を加えない状態において、当該間隔はメダルの幅よりも小さく、外力が加えられて弾性部材が縮むと、当該間隔がメダルの幅よりも大きくなることを特徴とする請求項１記載のメダル連続投入機構。
【請求項３】
遊技機に隣接して設けられたメダル貸機から遊技機へメダルを連続して投入するための機構であって、
一端が前記メダル貸機のメダル払い出し口に取り付けられ、他端が前記遊技機のメダル投入口に取り付けられるメダルガイドと、前記メダルガイドの先端に設けられたノズルとを備え、前記メダルガイドはジョイントで互いに接続された複数のメダルガイドを含み、少なくとも前記ノズルを含む先端のメダルガイドは前記ジョイントを中心に回動可能に構成されていることを特徴とするメダル連続投入機構。
【請求項４】
遊技機に隣接して設けられたメダル貸機から遊技機へメダルを連続して投入するための機構であって、
一端が前記メダル貸機のメダル払い出し口に取り付けられ、他端が前記遊技機のメダル投入口に取り付けられるメダルガイドと、前記メダルガイドの先端に設けられたノズルとを備え、前記ノズル及び／又は前記メダルガイドの先端部分の一部が切り欠かれていることを特徴とするメダル連続投入機構。
【請求項５】
前記遊技機のメダル投入口の一方の側には前記ノズルを固定するための機構が設けられ、他方には前記ノズルから排出されたメダルをメダル通路に誘導する突出部が設けられ、
前記メダル投入口の前記突出部のメダルが当たる位置にガード部が設けられていることを特徴とする請求項４記載のメダル連続投入機構。
【請求項６】
遊技機に隣接して設けられたメダル貸機から遊技機へメダルを連続して投入するための機構であって、
一端が前記メダル貸機のメダル払い出し口に取り付けられ、他端が前記遊技機のメダル投入口に取り付けられるメダルガイドと、前記メダルガイドの先端に設けられたノズルとを備え、前記ノズルが遊技機のメダル投入口の手前に取りつけられ、前記メダル通路の少なくとも上方が開放されていることを特徴とするメダル連続投入機構。
【請求項７】
遊技機に隣接して設けられたメダル貸機から遊技機へメダルを連続して投入するための機構であって、
一端が前記メダル貸機のメダル払い出し口に取り付けられ、他端が前記遊技機のメダル投入口に取り付けられるメダルガイドと、前記メダルガイドの先端に設けられたノズルとを備え、前記ノズル又は前記メダルガイドにメダルの払い出し枚数をカウントするためのセンサを備えることを特徴とするメダル連続投入機構。
【請求項８】
前記ノズルを前記遊技機のメダル投入口に固定するための機構として、前記ノズルに突起を設けるとともに、前記メダル投入口近傍に前記突起に嵌合する穴を設けたことを特徴とする請求項１乃至請求項７いずれかに記載のメダル連続投入機構。
【請求項９】
前記ノズルを前記遊技機のメダル投入口に固定するための機構として、前記メダルガイドに遊技機本体の一部と嵌合する嵌合部を設けたことを特徴とする請求項１乃至請求項７いずれかに記載のメダル連続投入機構。
【請求項１０】
前記ノズルを前記遊技機のメダル投入口に固定するための機構として、遊技機本体に前記メダルガイドを支えるための支持部を設けたことを特徴とする請求項１乃至請求項７いずれかに記載のメダル連続投入機構。
【発明の詳細な説明】
【０００１】
【発明の属する技術分野】
本発明は、メダル貸機から遊技機の通常投入口へメダルを人手を介することなく自動投入するための機構、特にメダル貸機から遊技機へメダルを導くための機構に関する。
【０００２】
【従来の技術】
スロットマシン等の遊技機にはメダルの投入口が設けられており、遊技者は所定の枚数のメダルを投入してゲームを楽しむことができる。遊技に必要なメダルは、遊技ホール内に設けられたメダル貸機で借りることができる。メダル貸機は遊技機と遊技機の間に設けられることもあり、このことから台間メダルサンドとも呼ばれる。メダル貸機でメダルを借り、メダルを所望の遊技機のメダル投入口に投入することによりゲームを開始することができる。この間のメダルを受けてこれらを投入するという作業は、利用者自らが行っていた。すなわち、メダル貸機で購入したメダルはその下部又は遊技機下部のメダル受け皿へ払い出され、遊技者はそのどちらかから遊技に必要なメダルを取り出し、遊技機の投入口にメダルを１枚づつ手で投入する必要があった。
【０００３】
【発明が解決しようとする課題】
これでは一度に多数のメダルを投入するときに手間がかかり不便である。メダル貸機からのメダルを所望の遊技機のメダル投入口に直接送ることができれば、手間が省けて便利である。
【０００４】
本発明は、上述の遊技者の負担を軽減するとともにメダルを投入するときの手の汚れを軽減するためになされたもので、遊技機の通常投入口へメダル貸機からメダルを連続自動投入するための機構、特にメダル貸機から遊技機へメダルを導くための機構を提供することを目的とする。
【０００５】
【課題を解決するための手段】
この発明に係るメダル連続投入機構は、遊技機に隣接して設けられたメダル貸機から遊技機へメダルを連続して（つまり人手を介することなく）投入するための機構であって、一端が前記メダル貸機のメダル払い出し口に取り付けられ、他端が前記遊技機のメダル投入口に取り付けられるメダルガイドと、前記メダルガイドの先端に設けられたノズルとを備え、前記ノズルは遊技者の操作に基づき前記メダルガイド内のメダルを前記遊技機のメダル投入口へ送り出すためのゲート機構を備えることを特徴とするものである。ゲート機構を設けたので、遊技者の意思に反してメダルはノズルから排出され、床にばらまかれることを防止できる。
【０００６】
この発明に係るメダル連続投入機構は、遊技機に隣接して設けられたメダル貸機から遊技機へメダルを連続して投入するための機構であって、一端が前記メダル貸機のメダル払い出し口に取り付けられ、他端が前記遊技機のメダル投入口に取り付けられるメダルガイドと、前記メダルガイドの先端に設けられたノズルとを備え、前記メダルガイドはジョイントで互いに接続された複数のメダルガイドを含み、前記ノズルを含む先端のメダルガイドは前記ジョイントを中心に回動可能に構成されているものである。連続投入機構を使わないときメダルガイドの先端を跳ね上げておくことができる。メダル投入口の部分にノズルがなくなり通常状態と同様になる。ノズルが邪魔にならないので、手で１枚づつ投入することが容易である。
【０００７】
この発明に係るメダル連続投入機構は、遊技機に隣接して設けられたメダル貸機から遊技機へメダルを連続して投入するための機構であって、一端が前記メダル貸機のメダル払い出し口に取り付けられ、他端が前記遊技機のメダル投入口に取り付けられるメダルガイドと、前記メダルガイドの先端に設けられたノズルとを備え、前記ノズル及び／又は前記メダルガイドの先端部分の一部が切り欠かれているものである。切り欠き部でメダルの投入状況を目視できる。
【０００８】
この発明に係るメダル連続投入機構は、遊技機に隣接して設けられたメダル貸機から遊技機へメダルを連続して投入するための機構であって、一端が前記メダル貸機のメダル払い出し口に取り付けられ、他端が前記遊技機のメダル投入口に取り付けられるメダルガイドと、前記メダルガイドの先端に設けられたノズルとを備え、前記ノズルが遊技機のメダル投入口の手前に取りつけられ、前記メダル通路の少なくとも上方が開放されているものである。ノズルを装着した状態でも手動でメダル投入が可能である。
【０００９】
この発明に係るメダル連続投入機構は、遊技機に隣接して設けられたメダル貸機から遊技機へメダルを連続して投入するための機構であって、一端が前記メダル貸機のメダル払い出し口に取り付けられ、他端が前記遊技機のメダル投入口に取り付けられるメダルガイドと、前記メダルガイドの先端に設けられたノズルとを備え、前記ノズルの先端又は途中にメダルの払い出し枚数をカウントするためのセンサを備えるものである。
【００１０】
【発明の実施の形態】
本発明は、遊技機の通常投入口（手で１枚づつメダルを投入するもの）へメダル貸機（いわゆる台間メダルサンド）からメダルを人手を介さずに連続して自動投入するためのもの、特にメダル貸機から遊技機へメダルを導くためのノズルに関する。本発明による台間メダルサンドのノズルは先端を遊技機のメダル投入口に固定することができ、台間メダルサンドから払い出されたメダルは遊技機へ１枚づつあるいは連続的・断続的に自動的に投入される。このことによってメダルを手で投入する手間を省くことができ、またメダル投入時において遊技者がメダルに触れる機会が減るために遊技者の手の汚れを軽減することができる。以下、図面を参照して本発明の実施の形態について説明する。
【００１１】
発明の実施の形態１．
図１は発明の実施の形態１に係るメダル連続投入機構の概要を示す斜視図である。同図において、１はメダル自動投入用のメダルガイド、２はメダルガイド１の先端ノズル又は途中に設けられたメダル払い出し枚数カウント用のセンサ、３はメダル貸機の紙幣挿入口、１００はメダル貸機、２００は遊技機本体、２０１は遊技機のメダル投入口である。
【００１２】
図１に示されたものは、遊技機に隣接して設けられたメダル貸機１００から遊技機２００へメダルを連続して投入するための機構である。メダルガイド１の一端はメダル貸機１００のメダル払い出し口に取り付けられ、他端は遊技機２００のメダル投入口２０１に取り付けられる。メダルガイド１の先端にはメダル投入口２０１の形状と適合する形状のノズルが設けられ、あるいはノズルが形成されている。適合する形状とは、例えば、間に隙間が生じないようにするため、ノズルの形状はメダル投入口２０１の外形形状と一致するとともに、両者のメダル通路の断面形状も一致するものである。このためメダル貸機１００からのメダルは遊技機内にスムーズに送りこまれる。メダルガイド１のメダル貸機１００側の取り付け部はジョイント構造であったり、メダルガイド１全体が蛇腹構造であったりして、メダルガイド１全体が前後左右に動くようになっている。遊技者はメダルガイド１全体またはその先端ノズルを動かしてノズルをメダル投入口２０１に接続しメダル貸機１００から遊技機２００へメダルを連続投入するようにしたり、メダルガイド１全体又は一部をどけて通常の動作の邪魔にならないようにし、メダルを手で１枚づつ投入することができる。メダルを人手を介さずに投入するときはノズルをメダル投入口２０１に固定する。図１において、メダルガイド１はメダル投入口２０１の直上方から接続され、メダルはメダル投入口２０１の真上から落下するようになっている。ノズル先端の手前側（遊技者側）の一部がメダルの大きさよりも若干大きめに切り欠かれていて、遊技者はこの切り欠き部分からメダルを手動で１枚づつ投入することもできる。
【００１３】
図１において、ノズルの先端又は途中にメダルの払い出し枚数をカウントするためのセンサ２を備える。センサ２によりメダルの投入枚数・投入速度を計数し、メダル貸機１００の払い出し動作を制御することができる。例えば、図２に示すゲート機構を備える場合、投入されたメダルを補充するように制御し、メダルガイド１内でメダルが詰まったり、逆に空になったりすることを防止できる。
【００１４】
メダル貸機（台間機）１００について簡単に説明する。メダル貸機１００は貨幣の投入等に応じて遊技用メダルを払出すものである。スロットマシンを多数列設した、いわゆるパチスロ島には、遊技用メダルを貸出すメダル貸出機が各スロットマシンの側方に設けられており、貨幣やプリペイドカードの投入などによりメダルを借りることができるようになっている。したがって、遊技客は遊技中に手持ちの遊技用メダルが少なくなった場合であっても、席から離れることなく、しかも遊技を続けながらでもメダルを借りることができる。
【００１５】
台間メダル貸機１００の本体は縦長略直方体状を呈しており、前面に金銭を投入してメダルを借りるための紙幣投入口３が設けられている。紙幣投入口３の下方には、貸し出すメダルの数量などを表示する表示板が設けられる。紙幣投入口３の内部には図示しない紙幣識別装置が設けられている。この紙幣識別装置は、紙幣投入口３から投入された紙幣が真（本物の紙幣）の場合、投入された紙幣に相当するメダルをメダル貸機１００から排出し、また、紙幣投入口３から投入された紙幣が偽（偽紙幣）の場合、投入された紙幣をそのまま紙幣投入口３に戻す。メダル貸機１００の内部にはメダルを払い出すための装置としての図示しないホッパーが設けられている。ホッパーの上部には図示しないメダル収納部が設けられている。ホッパーは、メダル収納部内に収納されたメダルをその払出口から一枚づつメダルガイド１に排出する。
【００１６】
台間メダル貸機１００の紙幣投入口３から所定の金額の紙幣が一枚挿入されると、挿入された紙幣は紙幣識別装置で真偽が判定される。投入された紙幣が真の場合、投入された紙幣の金額に相当するメダルの数量を表示部に表示するとともに、ホッパーによりメダル収納部に収納されたメダルが所定の数だけ一枚一枚払出口から排出される。メダルはメダルガイド１により案内されてメダル投入口２０１に導かれる。これによって、遊技客はメダル投入に煩わされることなくスロットマシン２００の遊技を楽しむことができる。
【００１７】
図２はメダルガイド１の一例を示す図である。図２のメダルガイド１はジョイントにより移動可能に構成されている。同図において、１０はメダル貸機１００に貯留されたメダルを送り出すためのローターディスク、１１はローターディスク１０からのメダルをメダルガイド１に導くレール、１２はレール１１の終端に設けられるカウンターアーム、１３はメダルを計数するためのセンサ、１４はジョイント、１５はジョイント１４により結合されるメダルガイド、１６は遊技者の操作に基づきメダルガイド先端（ノズル）のメダルを遊技機２００のメダル投入口２０１へ送り出すためのゲート機構、１６ａはゲート機構１６のメダル投入ボタンである。ゲート機構１６により、遊技者の意思に反してメダルがノズルから排出されて床にばらまかれることを防止できる。
【００１８】
図２において、メダル貸機１００から遊技機２００へメダルを送り出すためのメダルガイド１は、ジョイント１４ａ〜１４ｄ及び５つのメダルガイド１５を含むものである。先端のメダルガイド１５は下方へ湾曲していて、その先端のノズル部分（ほぼ真下を向いている）にゲート機構１６が設けられている。メダル投入ボタン１６ａを矢印の方向に押すことによりメダルが１枚づつメダル投入口２０１に送り出される。ジョイント１４ａ，１４ｃは略垂直の回転軸をもちメダルガイド１を左右に動かすことが可能である。ジョイント１４ｂ、１４ｄは略水平の回転軸をもちメダルガイド１を上下に動かすことが可能である。図２の二点鎖線はメダルガイド１を上に持ち上げた状態を示す。この状態でメダル貸機１００から遊技機２００へメダルを連続して投入することはできないが、メダル投入口２０１にメダルガイド１がなく、遊技者は従来と同様にメダルを手動で投入できる。メダルガイド１を持ち上げてもゲート機構１６があるのでメダルがこぼれ落ちる心配はない。
【００１９】
図３はゲート機構の動作説明図である。同図はゲート機構を上面から見た図を示す。１６１ａ，１６１ｂは断面略コの字型の第１及び第２の部材である。１６２ａ，１６２ｂは第１及び第２の部材１６１ａ，１６１ｂを付勢する第１及び第２の弾性部材である。Ｍはメダルを示す。同図からわかるように、第１の部材１６１ａと第２の部材１６１ｂは、各々の突起部（コの字型の端）の一方の先端が相手の内面（コの字の内側）に接するように対向して配置されている。したがって、第１の部材１６１ａと第２の部材１６１ｂは互いに左右に動く。第１の弾性部材１６２ａは第１の部材１６１ａの一方の突起部１６１ａ−１の内側側面と第２の部材１６１ｂの一方の突起部の外側側面の間に設けられている。第２の弾性部材１６２ｂは第２の部材１６１ｂの他方の突起部１６１ｂ−１の内側側面と第１の部材１６１ａの他方の突起部の外側側面の間に設けられている。
【００２０】
弾性部材１６２ａ，１６２ｂは圧縮された状態で上記部分に挿入されているので、その弾性により第２の部材１６１ｂの一方の突起部の内側側面と第１の部材１６１ａの他方の突起部の内側側面の間隔（メダルＭが位置する部分）が狭まるように付勢されている。したがって、外力を加えない状態において、当該間隔はメダルの幅よりも小さく、メダルガイド１５中のメダルは部材１６１ａ，１６１ｂに当たり、ここで止まる（図３（ａ）参照）。これに対して図３（ｂ）の矢印の方向に外力が加えられて弾性部材１６２ａ，１６２ｂが縮むと、当該間隔が広がり、メダルの幅よりも大きくなった時点でメダルＭが当該部分を通過してメダル投入口２０１に送り出される。
【００２１】
発明の実施の形態２．
発明の実施の形態２に係るメダル連続投入機構について、図４及び図５を参照して説明を加える。図４はメダルガイド１のノズルをメダル投入口２０１に装着した状態を示し、図５はメダルガイド１を跳ね上げた状態を示す。
【００２２】
図４及び図５において、１４ａは回転式ジョイント、１５は先端のメダルガイド、１５１はメダルガイド１５の先端部（ノズル）の下側に設けられた突起、２０１は遊技機２００のメダル投入口、２０２はメダル投入口２０１の一方の側（ノズルが取り付けられる側と反対の側）に設けられてノズルから排出されるメダルを一旦受け止めてメダル投入口２０１のメダル通路に導くガイド部、２０３は突起１５１と嵌合してノズルを固定するための穴、２１０は投入されたメダルを判別し計数してホッパータンクへ送るメダルセレクタである。突起１５１はノズル先端に台座を介して設けられる。台座はノズルが固定された状態においてメダル投入口２０１の基礎部分と密着するように構成されている。これによりノズルが安定する。突起１５１の一部に溝が設けてあり、これに穴２０３に設けられた湾曲した弾性部材が嵌り込み、突起１５１をしっかりと固定する。ガイド部２０２はノズルから排出されるメダルがメダル投入口２０１で弾かれて外に飛び出さないようにするためのものであり、ある程度の高さと厚みをもつものである。メダルの表裏に面する部分にはやはりガード部が設けられているので、これらが相俟ってメダルを確実にメダルセレクタ２１０へと送りこむことができる。メダルセレクタ２１０のメダル通路はメダル投入口２０１と連通している。なお、これらガイド部の上方は開放されているので、遊技者はメダルを手動で投入することができる。
【００２３】
図４及び図５のメダル連続投入機構において、ノズルを含む先端のメダルガイド１５はジョイント１４ｄを中心に回動可能に構成されているので、連続投入機構を使わないとき、手動投入の邪魔にならないようにメダルガイド１５の先端を跳ね上げておくことができる（図５参照）。図５の状態において、メダル投入口２０１の部分にノズルがなくなり通常状態と同様になる。したがって、手で１枚づつ投入することが容易である。もっともノズルが取りつけられているときでも手動投入は可能である。
【００２４】
先端のメダルガイド１５の上部が切り欠かれているので、ここを通過するメダルを目視でき、メダルの投入状況を確認できる。図５の点線で示すＡ部が切り欠かれた部分である。メダルガイド１５の上部の一部（３分の１程度）を切り欠く程度であればメダルの通過に支障がない。なお、単にメダルを目視するだけであれば当該メダルガイド１５を透明部材で形成してもよい。
【００２５】
図４及び図５において、メダルガイド１５が真上からではなく斜めにメダル投入口２０１に接続され、しかも、その先端ノズルがメダル投入口２０１の直前に取りつけられている（メダル投入口２０１のメダル通路の手前でメダルガイド１５が終わっていて、メダル投入口２０１を覆っていない）ので、メダル投入口２０１のメダル通路（メダルを入れるスリット）の上方が開放されている。このためノズルを装着した状態でも手動でメダル投入が可能である。メダルガイド１５の一部が切り欠かれているのでこの部分からもメダルを手動投入することができる。
【００２６】
発明の実施の形態２のほかの例を図６〜図８を参照して説明する。
図６のメダルガイド１５は図４及び図５と同様に一部が切り欠かれているが、途中でメダル投入口２０１と同じ高さで湾曲され、そこからほぼ水平にメダル投入口２０１の手前まで伸びている。したがって、メダルはノズルからほぼ水平方向に排出され、ガイド部２０２に衝突し、その後メダル通路に落下する。この場合、ガイド部２０２を含むメダル投入口２０１がメダル衝突の衝撃で削れたり割れたりしないようにガード部２０４を設けるようにしてもよい。ガード部２０４はメダル投入口２０１のメダルが当たる位置に設けられる。ガード部２０４はメダルが撥ねたときにこれを飛び出さないようにする機能も果たす。ガード部２０４はガイド部２０２の側面から上方に延び、途中で曲がりメダルよりもやや高い位置で略水平方向に延びている。
【００２７】
図７はメダルガイド１５に切り欠きをもたない例を示す。切り欠きを設けなくてもメダルガイドをメダル投入口２０１の直前で固定し、かつ、メダルガイド１５を水平にメダル投入口２０１に導くことにより、ノズルを装着した状態でも手動でメダル投入が可能である。
【００２８】
図８はメダルガイド１５の一方の面を切り欠いたものを示す。図８において遊技者側の面を残し、他方の面（遊技機側の面）の一部（Ｂ部）を切り欠いているとともに、切り欠かれていない面をメダル投入口を覆うようにガイド部２０２まで延長し、その端面を折り曲げている。折り曲げ部分にメダルが衝突する。折り曲げ部分は前述のガード部２０４と同様の機能を果たす。他方、一方の面が切り欠かれ、かつ、メダル投入口２０１の直前で終わっているので、ノズルを装着した状態でも手動でメダル投入が可能である。
【００２９】
以上の説明において、ノズルを固定するためにノズルに設けられた突起１５１とこれに嵌合する穴２０３を用いているが、この機構はこれに限定されない。例えば、ノズルを遊技機のメダル投入口に固定するための機構として、メダルガイド１に遊技機本体２００の一部と嵌合する嵌合部を設けるようにしてもよい。この例を図９及び図１０（ａ）（ｂ）に示す。これらの図に示されるように、メダルガイド１には嵌合部１７０が設けられ、これが遊技機本体２００の前面パネルに設けられた側壁２００ａ（前面パネルのリール部の横に設けられている）の一部と嵌合することによりノズルが固定される。図９において嵌合部分は点線で示されている。嵌合部１７０は例えば弾性を備えるクリップ状の部材である。クリップ部分が側壁２００ａに嵌り込む。メダルガイド１に嵌合部を設けると遊技機本体２００の加工は不要になる。なお、側壁２００ａに嵌合を容易にするための切り欠きを設けるようにしてもよい。
【００３０】
図１０（ｃ）（ｄ）は別の例を示す。この図はノズルを遊技機のメダル投入口に固定するための機構として、遊技機本体にメダルガイド１を支えるための支持部を設けたものを示す。支持部１７１は側壁２００ａに設けられたフック状の部材である。これによりメダルガイド１が保持される。この場合、メダルガイド１をどこに嵌め込むかわかりやすい。
【００３１】
本発明は、以上の実施の形態に限定されることなく、特許請求の範囲に記載された発明の範囲内で、種々の変更が可能であり、それらも本発明の範囲内に包含されるものであることは言うまでもない。
【００３２】
【発明の効果】
以上のように、本発明に係るメダル連続投入機構によれば、メダル貸機から払い出されたメダルを遊技機へ自動的に投入することができる。このことによってメダルを手で投入する手間を省くことができ、またメダル投入時において遊技者がメダルに触れる機会が減るために遊技者の手の汚れを軽減することができる。
【００３３】
また、メダル連続投入機構にゲート機構を設けることにより、遊技者の意思でメダルの投入を制御できる。
【００３４】
また、メダル連続投入機構に可動ジョイントを備えることにより、連続投入機構を使わないとき、手動投入の邪魔にならないようにその先端を跳ね上げておくことができる。手動で１枚づつ投入することが容易になる。
【００３５】
また、メダル連続投入機構の一部が切り欠かれているので、ここを通過するメダルを目視でき、メダルの投入状況を確認できる。
【００３６】
また、メダル連続投入機構の先端ノズルをメダル投入口の直前に取りつけ、メダル投入口のメダル通路の上方を開放することにより、メダル連続投入機構を装着した状態でも手動でのメダル投入を可能にする。
【図面の簡単な説明】
【図１】発明の実施の形態１に係るメダル連続投入機構の概要を示す斜視図である。
【図２】発明の実施の形態１に係るメダル連続投入機構のメダルガイドの構成を示す図である。
【図３】発明の実施の形態１に係るメダル連続投入機構のゲート機構を示す図である。
【図４】発明の実施の形態２に係るメダル連続投入機構のメダルガイドの構成を示す図である。
【図５】発明の実施の形態２に係るメダル連続投入機構のメダルガイドの構成を示す図である。
【図６】発明の実施の形態２に係るメダル連続投入機構の他のメダルガイドの構成を示す図である。
【図７】発明の実施の形態２に係るメダル連続投入機構の他のメダルガイドの構成を示す図である。
【図８】発明の実施の形態２に係るメダル連続投入機構の他のメダルガイドの構成を示す図である。
【図９】発明の実施の形態に係るメダル連続投入機構の固定手段の説明図である。
【図１０】発明の実施の形態に係るメダル連続投入機構の固定手段の例を示す図である。図１０（ａ）はメダルガイドに設けられた嵌合部の正面図、同図（ｂ）は同じく右側面図、同図（ｃ）は遊技機本体に設けられた支持部の正面図、同図（ｄ）は同じく右側面図である。
【符号の説明】
１  メダルガイド
２  メダル払い出し枚数カウント用のセンサ
３  メダル貸機の紙幣挿入口
１０  ローターディスク
１１  レール
１２  カウンターアーム
１３  センサ
１４  ジョイント
１５  メダルガイド
１６  ゲート機構
１６ａ  ゲート機構のメダル投入ボタン
１００  メダル貸機
１５１  突起
１６１ａ，１６１ｂ  断面略コの字型の第１及び第２の部材
１６２ａ，１６２ｂ  第１及び第２の弾性部材
１７０  嵌合部
１７１  支持部
２００  遊技機本体
２００ａ  側壁
２０１  遊技機のメダル投入口
２０２  ガイド部
２０３  突起１５１と嵌合する穴
２０４  ガード部
２１０  メダルセレクタ
Ｍ  メダル
【図１】
2004248765.tif 000003
【図２】
2004248765.tif 000004
【図３】
2004248765.tif 000005
【図４】
2004248765.tif 000006
【図５】
2004248765.tif 000007
【図６】
2004248765.tif 000008
【図７】
2004248765.tif 000009
【図８】
2004248765.tif 000010
【図９】
2004248765.tif 000011
【図１０】
2004248765.tif 000012